(57)【特許請求の範囲】
【請求項１】
ｎ個（ｎは２以上の正の整数）の回路ブロックを有し、前記ｎ個の回路ブロックがｎ個の光源とそれぞれ電気的に接続されて前記ｎ個の光源を点灯するように構成され、
前記ｎ個の回路ブロックは、１個の前記光源と電気的に直列接続され、１個の前記光源に流れる電流が所定値を超えないように前記電流を制御する電流制御部と、１個の前記光源に流れる電流によって充電される蓄電素子と、前記蓄電素子を充電する電流を制御する充電電流制御部と、１個の前記光源と前記蓄電素子との間に挿入される第１整流素子と、前記蓄電素子から放電される電流を１個の前記光源に流すように構成される第２整流素子とをそれぞれ１個ずつ備え、
１番目の前記回路ブロックは、正弦波の交流電圧が整流されてなる脈流電圧が、１個の前記光源と前記電流制御部の直列回路に印加されるように構成され、
ｉ番目（ｉは２からｎまでの任意の正の整数）の前記回路ブロックは、ｉ−１番目の前記回路ブロックにおける前記電流制御部と、第３整流素子を介して電気的に並列接続されることを特徴とする点灯装置。
【請求項２】
第１回路ブロック及び第２回路ブロックの２個の前記回路ブロックを有し、
前記第１回路ブロックは、第１光源と電気的に直列接続され、前記第１光源に流れる第１電流が所定値を超えないように前記第１電流を制御する第１電流制御部と、前記第１光源に流れる電流によって充電される第１蓄電素子と、前記第１蓄電素子を充電する電流を制御する第１充電電流制御部と、前記第１光源と前記第１蓄電素子との間に挿入される１番目の第１整流素子と、前記第１蓄電素子から放電される電流を前記第１光源に流すように構成される１番目の第２整流素子とを備え、
前記第２回路ブロックは、第２光源と電気的に直列接続され、前記第２光源に流れる第２電流が所定値を超えないように前記第２電流を制御する第２電流制御部と、前記第２光源に流れる電流によって充電される第２蓄電素子と、前記第２蓄電素子を充電する電流を制御する第２充電電流制御部と、前記第２光源と前記第２蓄電素子との間に挿入される２番目の第１整流素子と、前記第２蓄電素子から放電される電流を前記第２光源に流すように構成される２番目の第２整流素子とを備え、
前記第１回路ブロックは、正弦波の交流電圧が整流されてなる脈流電圧が、前記第１光源と前記第１電流制御部の直列回路に印加されるように構成され、
前記第２回路ブロックは、前記第１回路ブロックにおける前記第１電流制御部と、１番目の第３整流素子を介して電気的に並列接続されることを特徴とする請求項１記載の点灯装置。
【請求項３】
前記ｎ個の回路ブロックは、前記蓄電素子の放電電流が流れる経路上に挿入されるインピーダンス素子をそれぞれ備えることを特徴とする請求項１又は２記載の点灯装置。
【請求項４】
ｎ個の光源と、請求項１〜３の何れか１項に記載の点灯装置とを備え、ｎ個の前記光源は、１乃至複数個の固体発光素子でそれぞれ構成されることを特徴とする照明装置。
【請求項５】
ｎ個の前記光源は、ｉ−１番目の前記回路ブロックによって点灯されるｉ−１番目の前記光源の点灯開始電圧が、ｉ番目の前記回路ブロックによって点灯されるｉ番目の前記光源の点灯開始電圧の２分の１以下となるように構成されることを特徴とする請求項４記載の照明装置。
【請求項６】
請求項４又は５の照明装置と、前記照明装置を保持する器具本体とを備えることを特徴とする照明器具。
【発明の詳細な説明】
【技術分野】
【０００１】
本発明は、点灯装置、照明装置及び照明器具に関し、より詳細には、固体発光素子を点灯する点灯装置、及び当該点灯装置と固体発光素子からなる光源を有する照明装置、並びに当該照明装置を備えた照明器具に関する。
【背景技術】
【０００２】
点灯装置の従来例として、特許文献１記載の発光ダイオード駆動装置を例示する。この発光ダイオード駆動装置（以下、従来例と呼ぶ。）は、整流回路、ＬＥＤ部、コンデンサ充電用定電流回路（充電回路）、コンデンサ放電用定電流回路（放電回路）、充電用ダイオード、放電用ダイオード、充放電コンデンサなどを備える。この従来例は、例えば、実効値１００ボルトの交流電源に電気的に接続され、交流電源の交流電圧を整流回路で整流して、ピーク値が約１４１ボルトの脈流電圧を得るように構成される。
【０００３】
整流回路は、高電位側の出力端子に充放電コンデンサの一端と放電回路の一端とが電気的に接続され、低電位側の出力端子がグランドと電気的に接続される。充放電コンデンサの他端に充電用ダイオードのアノードと放電用ダイオードのカソードが電気的に接続される。充電用ダイオードのカソードは、放電回路の他端及びＬＥＤ部のアノード側の端子と電気的に接続される。ＬＥＤ部のカソードは、放電用ダイオードのアノード及び充電回路の一端に電気的に接続される。充電回路の他端はグランドと電気的に接続される。
【０００４】
次に、この従来例の動作を説明する。
【０００５】
まず、充放電コンデンサへの充電は、交流電源の電源電圧が高い期間に行われる。充電電流は、整流回路→充放電コンデンサ→充電用ダイオード→ＬＥＤ部→充電回路の経路（以下、充電経路と呼ぶ。）に流れて充放電コンデンサを充電する。ただし、充電電流は、充電回路によって定電流に制御される。このとき、ＬＥＤ部と充放電コンデンサは直列に接続され、ＬＥＤ部の順方向電圧が低く、電源電圧との電圧差が大きくても、充放電コンデンサの充電電圧によって充電回路の損失が緩和される。また、充放電コンデンサの充電電圧は充電終了時の電源電圧からＬＥＤ部の順方向電圧を差し引いた電圧となる。充電が終了すると、充電回路を流れる電流が急激に少なくなり、これを検出した信号により放電回路が動作を開始する。
【０００６】
充放電コンデンサからの放電は、交流電源の電源電圧が低い期間に行われる。放電電流は、充放電コンデンサ→放電回路→ＬＥＤ部→放電用ダイオード→充放電コンデンサの経路（以下、放電経路と呼ぶ。）に流れる。ただし、放電電流は、放電回路によって定電流に制御される。
【０００７】
ここで、充電期間から放電期間に移行するまでに、充放電コンデンサの両端電圧（充電電圧）よりも電源電圧の方が高い期間が存在し、当該期間（以下、過渡期間と呼ぶ。）内においては、整流回路→放電回路→ＬＥＤ部→充電回路の経路（以下、過渡経路と呼ぶ。）に電流が流れる。ただし、この電流（以下、過渡電流と呼ぶ。）は、放電回路と充電回路の何れか小さい方の電流（例えば、放電回路の電流）に定電流制御される。
【０００８】
上述のように従来例によれば、交流電源から供給される交流電力を直流電力に変換することなく、整流回路で整流した脈流電圧で直接ＬＥＤ部を駆動（点灯）することができる。しかも、この従来例は、脈流電圧が高い期間においては、ＬＥＤ部と充放電コンデンサを直列に接続してＬＥＤ部の点灯と充放電コンデンサの充電を同時に行い、脈流電圧が低い期間においては充放電コンデンサを放電させてＬＥＤ部を点灯させることができる。その結果、電源電圧の１周期内で光源（ＬＥＤ部）が消灯する期間が無くなるので、ちらつきを抑制することができる。
【先行技術文献】
【特許文献】
【０００９】
【特許文献１】特開２０１２−２４４１３７号公報
【発明の概要】
【発明が解決しようとする課題】
【００１０】
ところで、特許文献１記載の従来例では、効率（電源効率）を向上するために複数のＬＥＤ部の直列回路を備えている。しかしながら、ＬＥＤ部の個数を増やすことで効率の向上を図る場合、脈流電圧の１周期内における全光束の変動（光リップル）が大きくなってしまう。また、光リップルを抑えるために各ＬＥＤ部に平滑用のコンデンサがそれぞれ並列接続されると、点灯装置の製造コストの上昇や大型化を招くことになる。
【００１１】
本発明は、上記課題に鑑みて為されたものであり、従来例と比較して光源を増やさずに効率の向上を図ることを目的とする。
【課題を解決するための手段】
【００１２】
本発明の点灯装置は、ｎ個（ｎは２以上の正の整数）の回路ブロックを有し、前記ｎ個の回路ブロックがｎ個の光源とそれぞれ電気的に接続されて前記ｎ個の光源を点灯するように構成され、前記ｎ個の回路ブロックは、１個の前記光源と電気的に直列接続され、１個の前記光源に流れる電流が所定値を超えないように前記電流を制御する電流制御部と、１個の前記光源に流れる電流によって充電される蓄電素子と、前記蓄電素子を充電する電流を制御する充電電流制御部と、１個の前記光源と前記蓄電素子との間に挿入される第１整流素子と、前記蓄電素子から放電される電流を１個の前記光源に流すように構成される第２整流素子とをそれぞれ１個ずつ備え、１番目の前記回路ブロックは、正弦波の交流電圧が整流されてなる脈流電圧が、１個の前記光源と前記電流制御部の直列回路に印加されるように構成され、ｉ番目（ｉは２からｎまでの任意の正の整数）の前記回路ブロックは、ｉ−１番目の前記回路ブロックにおける前記電流制御部と、第３整流素子を介して電気的に並列接続されることを特徴とする。
【００１３】
本発明の照明装置は、ｎ個の光源と、点灯装置とを備え、ｎ個の前記光源は、１乃至複数個の固体発光素子でそれぞれ構成されることを特徴とする。
【００１４】
本発明の照明器具は、照明装置と、前記照明装置を保持する器具本体とを備えることを特徴とする。
【発明の効果】
【００１５】
本発明の点灯装置、照明装置及び照明器具は、従来例と比較して光源を増やさずに効率の向上を図ることができるという効果がある。
【図面の簡単な説明】
【００１６】
【図１】実施形態に係る点灯装置及び照明装置を示す回路ブロック図である。
【図２】同上の点灯装置及び照明装置の動作モード（第１モード）を説明するための回路ブロック図である。
【図３】同上の点灯装置及び照明装置の動作モード（第２モード）を説明するための回路ブロック図である。
【図４】同上の点灯装置及び照明装置の動作モード（第３モード）を説明するための回路ブロック図である。
【図５】同上の点灯装置及び照明装置の動作モード（第４モード）を説明するための回路ブロック図である。
【図６】同上の点灯装置及び照明装置の動作モード（第５モード）を説明するための回路ブロック図である。
【図７】同上の点灯装置及び照明装置を示す回路構成図である。
【図８】同上の点灯装置及び照明装置の動作説明用のタイムチャートである。
【図９】同上の点灯装置及び照明装置を示す斜視図である。
【図１０】図１０Ａ〜図１０Ｃは、本実施形態に係る照明器具を示す斜視図である。
【発明を実施するための形態】
【００１７】
以下、本実施形態に係る点灯装置、照明装置及び照明器具について図面を参照して説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１８】
本実施形態に係る照明装置は、図１に示すように、点灯装置と２つの光源（第１光源２Ａ及び第２光源２Ｂ）とを備える。第１光源２Ａ及び第２光源２Ｂは、いずれも複数個の固体発光素子が電気的に直列接続されて構成されることが好ましい。本実施形態では、固体発光素子として、白色光を放射する発光ダイオードが用いられる。ただし、固体発光素子は発光ダイオードに限定されず、有機エレクトロルミネッセンス素子などの発光ダイオード以外の固体発光素子であってもよい。また、第１光源２Ａを構成する発光ダイオードと、第２光源２Ｂを構成する発光ダイオードとは、発光色が異なっていても構わない。
【００１９】
第１光源２Ａは、基準電圧Ｖｆ１以上の電圧が順方向に印加されているときに導通して発光するように構成される。同様に、第２光源２Ｂは、基準電圧Ｖｆ２以上の電圧が順方向に印加されているときに導通して発光するように構成される。ただし、第１光源２Ａは、その基準電圧（第１基準電圧）Ｖｆ１を、第２光源２Ｂの基準電圧（第２基準電圧）Ｖｆ２の２倍以上とするように構成されることが好ましい。
【００２０】
点灯装置は、図１に示すように、第１回路ブロック１０Ａ、及び第２回路ブロック１０Ｂを有する。第１回路ブロック１０Ａは、第１電流制御部１１Ａ、第１蓄電素子Ｃ１１、第１充電電流制御部１２Ａ、第１整流素子Ｄ１１、第２整流素子Ｄ１２などを備える。第１電流制御部１１Ａは、第１光源２Ａと電気的に直列接続され、第１光源２Ａに流れる第１電流が所定値を超えないように第１電流を制御するように構成される。第１蓄電素子Ｃ１１は、例えば、電解コンデンサで構成され、第１光源２Ａに流れる電流によって充電される。第１充電電流制御部１２Ａは、第１蓄電素子Ｃ１１を充電する電流（第１充電電流）を制御するように構成される。第１整流素子Ｄ１１は、ダイオードからなり、アノードを第１光源２Ａに電気的に接続し、かつ、カソードを第１蓄電素子Ｃ１１に電気的に接続するように、第１光源２Ａと第１蓄電素子Ｃ１１との間に挿入される。第２整流素子Ｄ１２は、ダイオードからなる。第２整流素子Ｄ１２のアノードは、第１蓄電素子Ｃ１１と電気的に接続される。第２整流素子Ｄ１２のカソードは、第１光源２Ａと電気的に接続される。つまり、第２整流素子Ｄ１２は、第１蓄電素子Ｃ１１から放電される電流を第１光源２Ａに流すように構成される。そして、第１回路ブロック１０Ａは、図１に示すように、正弦波の交流電圧が整流されてなる脈流電圧Ｖinが、第１光源２Ａと第１電流制御部１１Ａの直列回路に印加されるように構成される。
【００２１】
第２回路ブロック１０Ｂは、第２電流制御部１１Ｂ、第２蓄電素子Ｃ２１、第２充電電流制御部１２Ｂ、第１整流素子Ｄ２１、第２整流素子Ｄ２２などを備える。第２電流制御部１１Ｂは、第２光源２Ｂと電気的に直列接続され、第２光源２Ｂに流れる第２電流が所定値を超えないように第２電流を制御するように構成される。第２蓄電素子Ｃ２１は、例えば、電解コンデンサで構成され、第２光源２Ｂに流れる電流によって充電される。第２充電電流制御部１２Ｂは、第２蓄電素子Ｃ２１を充電する電流（第２充電電流）を制御するように構成される。第１整流素子Ｄ２１は、ダイオードからなり、アノードを第２光源２Ｂに電気的に接続し、かつ、カソードを第２蓄電素子Ｃ２１に電気的に接続するように、第２光源２Ｂと第２蓄電素子Ｃ２１との間に挿入される。第２整流素子Ｄ２２は、ダイオードからなる。第２整流素子Ｄ２２のアノードは、第２蓄電素子Ｃ２１と電気的に接続される。第２整流素子Ｄ２２のカソードは、第２光源２Ｂと電気的に接続される。つまり、第２整流素子Ｄ２２は、第２蓄電素子Ｃ２１から放電される電流を第２光源２Ｂに流すように構成される。なお、第２光源２Ｂは、第３整流素子Ｄ３を介して第１光源２Ａと電気的に直列接続される。ダイオードからなる第３整流素子Ｄ３は、第１光源２Ａと、第１回路ブロック１０Ａの第１整流素子Ｄ１１のアノードとの接続点にアノードが電気的に接続され、第２光源２Ｂにカソードが電気的に接続される。そして、第２回路ブロック１０Ｂは、第１回路ブロック１０Ａにおける第１電流制御部１１Ａと、第３整流素子Ｄ３を介して電気的に並列接続される。ただし、本実施形態において、第１〜第３整流素子Ｄ１１、Ｄ１２、Ｄ２１、Ｄ２２、Ｄ３は、いずれもダイオードで構成されるが、ダイオードには限定されない。
【００２２】
次に、図２〜図６の回路ブロック図を参照して、本実施形態に係る点灯装置（照明装置）の基本的な動作を説明する。
【００２３】
点灯装置には５つの動作モード（第１モードＭ１〜第５モードＭ５）が存在する。第１モードＭ１は、入力電圧（脈流電圧）Ｖinが第１基準電圧Ｖｆ１以上、かつ第１基準電圧Ｖｆ１と第２基準電圧Ｖｆ２の和未満のときの動作モードである。この第１モードＭ１においては、図２に破線αで示すように、第１光源２Ａ→第１回路ブロック１０Ａの第１電流制御部１１Ａの経路で第１光源２Ａに一定の電流（第１電流）Ｉｆ１が流れて第１光源２Ａが点灯する。さらに、第１モードＭ１においては、図２に破線βで示すように、第２蓄電素子Ｃ２１→第２整流素子Ｄ２２→第２光源２Ｂ→第２蓄電素子Ｃ２１の経路で第２蓄電素子Ｃ２１の放電電流が流れて第２光源２Ｂが点灯する。
【００２４】
また、第２モードＭ２は、入力電圧Ｖinが第１基準電圧Ｖｆ１と第２基準電圧Ｖｆ２の和以上、かつ、第１基準電圧Ｖｆ１と第２基準電圧Ｖｆ２と第２蓄電素子Ｃ２１の両端電圧ＶＣ２１の和未満のときの動作モードである。この第２モードＭ２においては、図３に破線γで示すように、第１光源２Ａ→第３整流素子Ｄ３→第２光源２Ｂ→第２電流制御部１１Ｂの経路で一定の電流（第２電流）Ｉｆ２が流れて第１光源２Ａ及び第２光源２Ｂが点灯する。
【００２５】
さらに、第３モードＭ３は、入力電圧Ｖinが第１基準電圧Ｖｆ１と第２基準電圧Ｖｆ２と第２蓄電素子Ｃ２１の両端電圧ＶＣ２１の和以上、かつ、第１基準電圧Ｖｆ１と第１蓄電素子Ｃ１１の両端電圧ＶＣ１１の和未満のときの動作モードである。この第３モードＭ３においては、図４に破線δで示すように、第１光源２Ａ→第３整流素子Ｄ３→第２光源２Ｂ→第１整流素子Ｄ１１→第２蓄電素子Ｃ２１→第２充電電流制御部１２Ｂの経路で一定の電流（第２充電電流）が流れる。そして、この第２充電電流によって第１光源２Ａ及び第２光源２Ｂが点灯し、かつ、第２蓄電素子Ｃ２１が充電される。
【００２６】
第４モードＭ４は、入力電圧Ｖinが第１基準電圧Ｖｆ１と第１蓄電素子Ｃ１１の両端電圧ＶＣ１１の和以上のときの動作モードである。この第４モードＭ４においては、図５に破線εで示すように、第１光源２Ａ→第１回路ブロック１０Ａの第１整流素子Ｄ１１→第１蓄電素子Ｃ１１→第１充電電流制御部１２Ａの経路で電流（第１充電電流）が流れて第１光源２Ａが点灯し、かつ、第１蓄電素子Ｃ１１が充電される。
【００２７】
第５モードＭ５は、入力電圧Ｖinが第１基準電圧Ｖｆ１未満のときの動作モードである。この第５モードＭ５においては、図６に破線ζで示すように、第１蓄電素子Ｃ１１→第１回路ブロック１０Ａの第２整流素子Ｄ１２→第１光源２Ａ→第１電流制御部１１Ａの経路で第１蓄電素子Ｃ１１から放電電流（第１放電電流）が流れて第１光源２Ａが点灯する。また、第５モードＭ５においては、図６に破線βで示すように、第２蓄電素子Ｃ２１→第２回路ブロック１０Ｂの第２整流素子Ｄ２２→第２光源２Ｂ→第２電流制御部１１Ｂの経路で第２蓄電素子Ｃ２１から第２放電電流が流れて第２光源２Ｂが点灯する。
【００２８】
上述のように点灯装置は、入力電圧Ｖinの１周期において、第５モードＭ５→第１モードＭ１→第２モードＭ２→第３モードＭ３→第４モードＭ４→第３モードＭ３→第２モードＭ２→第１モード→第５モードの順番で動作するように構成される。第１回路ブロック１０Ａは、第４モードＭ４で第１蓄電素子Ｃ１１を充電し、第５モードＭ５で第１蓄電素子Ｃ１１を放電するように動作する。第２回路ブロック１０Ｂは、第３モードＭ３で第２蓄電素子Ｃ２１を充電し、第１モードＭ１及び第５モードＭ５で第２蓄電素子Ｃ２１を放電するように動作する。つまり、第１回路ブロック１０Ａ及び第２回路ブロック１０Ｂは、それぞれ１つの光源（第１光源２Ａ、第２光源２Ｂ）にしか接続されていないにも関わらず、実質的に２つの光源とそれぞれ接続されているのと同等の効率で動作することができる。ゆえに、本実施形態に係る点灯装置は、特許文献１記載の従来例と比較して光源を増やさずに効率の向上を図ることができる。
【００２９】
続いて、本実施形態に係る点灯装置１の詳細な回路構成について、図７を参照して説明する。
【００３０】
点灯装置１は、交流電源３から供給される交流電圧及び交流電流を全波整流する整流器６を備えることが好ましい。整流器６は、ダイオードブリッジで構成され、一対の交流入力端子間に、ヒューズ４を介して交流電源３が電気的に接続されることが好ましい。また、整流器６の交流入力端子間には、バリスタなどのサージ吸収素子５が電気的に接続されることが好ましい。
【００３１】
交流電源３は、例えば、実効値が２２０［Ｖ］の正弦波の交流電圧を供給する。したがって、整流器６の直流出力端子間からは、最大値（ピーク値）が２２０×√２≒３１１［Ｖ］の正弦波の脈流電圧（入力電圧Ｖin）が出力される。
【００３２】
第１光源２Ａは、複数個の表面実装（ＳＭＤ）型又はチップ・オン・ボード（ＣＯＢ）型の発光ダイオードの直列回路で構成されることが好ましい。また、第１光源２Ａには、平滑用のコンデンサＣ１２が電気的に並列接続されることが好ましい。なお、第１基準電圧Ｖｆ１は、入力電圧Ｖinの最大値の半分以下、例えば、１２７［Ｖ］に設定されることが好ましい。つまり、第１光源２Ａは、発光ダイオードの１個あたりの順方向電圧×ｎ個≦１２７［Ｖ］の関係を満足する最小のｎ個（ｎは自然数）の発光ダイオードの直列回路を有する。例えば、順方向電圧が３．１［Ｖ］の発光ダイオードを、４１個直列に接続して第１光源２Ａが構成されることが好ましい。
【００３３】
同様に、第２光源２Ｂは、複数個のＳＭＤ型又はＣＯＢ型の発光ダイオードの直列回路で構成されることが好ましい。また、第２光源２Ｂには、平滑用のコンデンサＣ２２が電気的に並列接続されることが好ましい。なお、第２基準電圧Ｖｆ２は、第１基準電圧Ｖｆ１の２分の１以下、例えば、５０［Ｖ］に設定されることが好ましい。つまり、第２光源２Ｂは、発光ダイオードの１個あたりの順方向電圧×ｍ個≦５０［Ｖ］の関係を満足する最小のｍ個（ｍは自然数）の発光ダイオードの直列回路を有する。例えば、順方向電圧が３．１［Ｖ］の発光ダイオードを、１６個直列に接続して第２光源２Ｂが構成されることが好ましい。
【００３４】
第１電流制御部１１Ａは、トランジスタＱ１１及びシャントレギュレータＵ１１を用いた定電流回路で構成される（図７参照）。トランジスタＱ１１は、例えば、ｎチャネル型のＭＯＳＦＥＴ（metal-oxide-semiconductor field-effect transistor）で構成されるが、ｐｎｐ型のバイポーラトランジスタで構成されても構わない。
【００３５】
トランジスタＱ１１のドレインが第１光源２Ａと電気的に接続され、トランジスタＱ１１のソースが、抵抗Ｒ１及び抵抗Ｒ２とツェナーダイオードＺＤ２のカソードと電気的に接続される。シャントレギュレータＵ１１のカソードが抵抗Ｒ３の一端とコンデンサＣ１の一端とに電気的に接続され、シャントレギュレータＵ１１のアノードが抵抗Ｒ１の一端及び整流器６の低電位側の直流出力端子と電気的に接続される。また、シャントレギュレータＵ１１のリファレンス端子がコンデンサＣ１の他端と抵抗Ｒ２の一端に電気的に接続される。
【００３６】
抵抗Ｒ４は、トランジスタＱ１１のゲートをバイアスするための抵抗である。抵抗Ｒ４の一端が第１光源２ＡのコンデンサＣ１２と電気的に接続されるので、トランジスタＱ１１のゲート電圧は、常にドレイン電圧よりも高い電圧にプルアップされ、第１光源２Ａに電流を流す期間を延ばすことができる。なお、抵抗Ｒ３及びコンデンサＣ１は、シャントレギュレータＵ１１の発振を防止するためのフィルタ回路（位相補償回路）を構成している。例えば、フィルタ回路の遮断周波数を１００［ｋＨｚ］以下に設定するには、抵抗Ｒ２の抵抗値を２［ｋΩ］、コンデンサＣ１の容量値を１［ｎＦ］とすればよい。
【００３７】
第１電流制御部１１Ａは、抵抗Ｒ１の両端に発生する電圧（電圧降下）と、シャントレギュレータＵ１１の基準電圧とを一致させるように、カソード電流（ゲート電圧）を増減してトランジスタＱ１１のドレイン電流を制御（定電流化）する。シャントレギュレータＵ１１の基準電圧は、例えば、１．２４Ｖである。抵抗Ｒ１の抵抗値を８．９Ωとすると、シャントレギュレータＵ１１は、抵抗Ｒ１の両端電圧が１．２４Ｖとなる電流（＝１４０［ｍＡ］）を流すようにトランジスタＱ１１を制御する。
【００３８】
また、トランジスタＱ１１のゲートとソースとの間に、２つのツェナーダイオードＺＤ１、ＺＤ２の直列回路が電気的に接続される。これらのツェナーダイオードＺＤ１、ＺＤ２により、トランジスタＱ１１のゲート・ソース間電圧が制限され、かつ、シャントレギュレータＵ１１のカソード・アノード間電圧が最大定格電圧を越えないように保護される。
【００３９】
第１充電電流制御部１２Ａは、第１電流制御部１１Ａと同様に、トランジスタＱ１２及びシャントレギュレータＵ１２を用いた定電流回路で構成される（図７参照）。なお、第１充電電流制御部１２Ａの回路構成は、各素子に付している符号が異なる点を除いて、第１電流制御部１１Ａと共通である。ゆえに、第１充電電流制御部１２Ａに関する詳細な説明は省略する。
【００４０】
また、第２電流制御部１１Ｂは、第１電流制御部１１Ａと同様に、トランジスタＱ２１及びシャントレギュレータＵ２１を用いた定電流回路で構成される（図７参照）。さらに、第２充電電流制御部１２Ｂも、第１電流制御部１１Ａと同様に、トランジスタＱ２２及びシャントレギュレータＵ２２を用いた定電流回路で構成される（図７参照）。なお、第２電流制御部１１Ｂ及び第２充電電流制御部１２Ｂの回路構成は、各素子に付している符号が異なる点を除いて、第１電流制御部１１Ａと共通である。ゆえに、第２電流制御部１１Ｂ及び第２充電電流制御部１２Ｂに関する詳細な説明は省略する。
【００４１】
ここで、第１電流制御部１１Ａの抵抗Ｒ１と、第２電流制御部１１Ｂの抵抗Ｒ９と、第２充電電流制御部１２Ｂの抵抗Ｒ１３と、第１充電電流制御部１２Ａの抵抗Ｒ５とは、整流器６の低電位側の直流出力端子に電気的に直列接続される（図７参照）。また、抵抗Ｒ５と抵抗Ｒ１３との間にダイオードＤ１４が挿入され、抵抗Ｒ１３と抵抗Ｒ９との間にもダイオードＤ２４が挿入されている。なお、これら２つのダイオードＤ１４、Ｄ２４は、第１充電電流制御部１２Ａから整流器６の低電位側の直流出力端子へ電流を流す向きに挿入されている。さらに、抵抗Ｒ１と整流器６の低電位側の直流出力端子の接続点がダイオードＤ１３のアノードと電気的に接続され、第１充電電流制御部１２ＡのトランジスタＱ１２のソースがダイオードＤ１３のカソードと電気的に接続される。つまり、第１回路ブロック１０Ａは、第１電流制御部１１Ａから第１充電電流制御部１２Ａへ電流を流す経路を有している。同様に、抵抗Ｒ９と抵抗Ｒ１の接続点がダイオードＤ２３のアノードと電気的に接続され、第２充電電流制御部１２ＢのトランジスタＱ２２のソースがダイオードＤ２３のカソードと電気的に接続される。つまり、第２回路ブロック１０Ｂは、第２電流制御部１１Ｂから第２充電電流制御部１２Ｂへ電流を流す経路を有している。
【００４２】
ところで、第１電流制御部１１Ａと第２電流制御部１１Ｂと第１充電電流制御部１２Ａと第２充電電流制御部１２Ｂとは、互いに影響を及ぼし合って動作する。つまり、第１電流制御部１１Ａの抵抗Ｒ１には、第１電流制御部１１Ａの出力電流だけでなく、第１充電電流制御部１２Ａ、第２電流制御部１１Ｂ及び第２充電電流制御部１２Ｂの出力電流も流れる。つまり、第１充電電流制御部１２Ａ、第２電流制御部１１Ｂ及び第２充電電流制御部１２Ｂの出力電流が増加して抵抗Ｒ１の両端電圧が上昇することにより、第１電流制御部１１Ａの出力電流が減少する。そして、第１充電電流制御部１２Ａ、第２電流制御部１１Ｂ及び第２充電電流制御部１２Ｂの出力電流による抵抗Ｒ１の電圧降下（両端電圧）がシャントレギュレータＵ１１の基準電圧に達すると、第１電流制御部１１Ａが停止する。
【００４３】
同様に、第２電流制御部１１Ｂの抵抗Ｒ９には、第１充電電流制御部１２Ａ及び第２充電電流制御部１２Ｂの出力電流も流れる。つまり、第１充電電流制御部１２Ａ及び第２充電電流制御部１２Ｂの出力電流が増加して抵抗Ｒ９の両端電圧が上昇することにより、第２電流制御部１１Ｂの出力電流が減少する。そして、第１充電電流制御部１２Ａ及び第２充電電流制御部１２Ｂの出力電流による抵抗Ｒ９の電圧降下（両端電圧）がシャントレギュレータＵ２１の基準電圧に達すると、第２電流制御部１１Ｂが停止する。同様に、第１充電電流制御部１２Ａの出力電流による抵抗Ｒ１３の電圧降下（両端電圧）がシャントレギュレータＵ２２の基準電圧に達すると、第２充電電流制御部１２Ｂが停止する。
【００４４】
次に、図７の回路図と図８のタイムチャートを参照して、本実施形態の点灯装置１（照明装置）の動作を説明する。ただし、図８において、第１光源２Ａ及び第２光源２Ｂに供給される電力（供給電力）Ｗ０を実線Ｘ１で示す。また、第１光源２Ａに流れる第１電流Ｉｆ１を実線Ｘ２で示し、第２光源２Ｂに流れる第２電流Ｉｆ２を破線Ｘ３で示す。さらに、第１充電電流制御部１２ＡのトランジスタＱ１２のドレイン電流ＩＱ１２、第２充電電流制御部１２ＢのトランジスタＱ２２のドレイン電流ＩＱ２２、をそれぞれ実線Ｘ４、実線Ｘ５で示す。また、第２電流制御部１１ＢのトランジスタＱ２１のドレイン電流ＩＱ２１、第１電流制御部１１ＡのトランジスタＱ１１のドレイン電流ＩＱ１１をそれぞれ実線Ｘ６、実線Ｘ７で示す。さらに、交流電源３から整流器６への入力電流Ｉinを実線Ｘ８で示す。また、図８において、横軸の時刻ｔ＝ｔ０及び時刻ｔ＝ｔ２は、交流電源３の電源電圧のゼロクロスに対応している。つまり、時刻ｔ＝ｔ０〜ｔ２は、入力電圧Ｖinの１周期（交流電源３の電源電圧の負の半周期）に対応している。
【００４５】
時刻ｔ＝ｔ０の付近では、入力電圧Ｖinが第１蓄電素子Ｃ１１の両端電圧ＶＣ１１よりも低いために入力電流Ｉinが流れない（図８の実線Ｘ８参照）。また、入力電圧Ｖinが第１基準電圧Ｖｆ１未満であるから、点灯装置１は、第５モードＭ５で動作する。つまり、第１回路ブロック１０Ａは、第１蓄電素子Ｃ１１→第２整流素子Ｄ１２→第１光源２Ａ→第１電流制御部１１Ａ（トランジスタＱ１１→抵抗Ｒ１）→ダイオードＤ１３→トランジスタＱ１２の寄生ダイオード→第１蓄電素子Ｃ１１の経路で放電電流を流す。なお、この放電電流は、第１電流制御部１１Ａによって定電流化される。また、第２回路ブロック１０Ｂは、第２蓄電素子Ｃ２１→第２整流素子Ｄ２２→第２光源２Ｂ→第２電流制御部１１Ｂ（トランジスタＱ２１→抵抗Ｒ９）→ダイオードＤ２３→トランジスタＱ２２の寄生ダイオード→第２蓄電素子Ｃ２１の経路で放電電流を流す。なお、この放電電流は、第２電流制御部１１Ｂによって定電流化される。ゆえに、トランジスタＱ１１のドレイン電流ＩＱ１１及びトランジスタＱ２１のドレイン電流ＩＱ２１は、正の向きに流れる（図８の実線Ｘ７及び実線Ｘ６参照）。一方、トランジスタＱ１２のドレイン電流ＩＱ１２及びトランジスタＱ２２のドレイン電流ＩＱ２２は、寄生ダイオードを通して負の向きに流れる（図８の実線Ｘ４及び実線Ｘ５参照）。
【００４６】
入力電圧Ｖinが上昇して第１蓄電素子Ｃ１１の両端電圧ＶＣ１１を超えると入力電流Ｉinが流れ始める（図８の実線Ｘ８参照）。さらに、入力電圧Ｖinが第１基準電圧Ｖｆ１以上になると、点灯装置１は、第１モードＭ１で動作する。つまり、第１回路ブロック１０Ａは、整流器６の高電位側の直流出力端子→第１光源２Ａ→第１電流制御部１１Ａ→整流器６の低電位側の直流出力端子の経路で第１光源２Ａに第１電流Ｉｆ１を流す（図８の実線Ｘ２参照）。このとき、トランジスタＱ１１のドレイン電流ＩＱ１１は一定になり、トランジスタＱ１２のドレイン電流ＩＱ１２はゼロとなる（図８の実線Ｘ７及び実線Ｘ４参照）。また、第２回路ブロック１０Ｂは、第２蓄電素子Ｃ２１→第２整流素子Ｄ２２→第２光源２Ｂ→第２電流制御部１１Ｂ（トランジスタＱ２１→抵抗Ｒ９）→ダイオードＤ２３→トランジスタＱ２２の寄生ダイオード→第２蓄電素子Ｃ２１の経路で引き続き放電電流を流す（図８の実線Ｘ６及び実線Ｘ５参照）。
【００４７】
入力電圧Ｖinが第１基準電圧Ｖｆ１と第２基準電圧Ｖｆ２の和以上になると、点灯装置１は、第２モードＭ２で動作する。第２モードＭ２においては、第２回路ブロック１０Ｂの第２電流制御部１１Ｂが動作し、第１回路ブロック１０Ａの第１電流制御部１１Ａが停止する（図８の実線Ｘ７参照）。したがって、整流器６の高電位側の直流出力端子→第１光源２Ａ→第３整流素子Ｄ３→第２光源２Ｂ→第２電流制御部１１Ｂ→整流器６の低電位側の直流出力端子の経路で電流が流れる。なお、この電流は、第２電流制御部１１Ｂによって定電流化される。
【００４８】
入力電圧Ｖinが第１基準電圧Ｖｆ１と第２基準電圧Ｖｆ２と第２蓄電素子Ｃ２１の両端電圧ＶＣ２１の和以上になると、点灯装置１は、第３モードＭ３で動作する。第３モードＭ３においては、第２回路ブロック１０Ｂの第２充電電流制御部１２Ｂが動作し、第２電流制御部１１Ｂが停止する。したがって、整流器６の高電位側の直流出力端子→第１光源２Ａ→第３整流素子Ｄ３→第２光源２Ｂ→第１整流素子Ｄ２１→第２蓄電素子Ｃ２１→第２充電電流制御部１２Ｂ→整流器６の低電位側の直流出力端子の経路で電流が流れる。なお、この電流は、第２充電電流制御部１２Ｂによって定電流化される。
【００４９】
入力電圧Ｖinが第１基準電圧Ｖｆ１と第１蓄電素子Ｃ１１の両端電圧ＶＣ１１の和以上になると、点灯装置１は、第４モードＭ４で動作する。つまり、第１回路ブロック１０Ａは、整流器６の高電位側の直流出力端子→第１光源２Ａ→第１整流素子Ｄ１１→第１蓄電素子Ｃ１１→第１充電電流制御部１２Ａ→整流器６の低電位側の直流出力端子の経路で電流を流す。この電流は、第１充電電流制御部１２Ａによって定電流化される。一方、第１電流制御部１１Ａ及び第２回路ブロック１０Ｂは停止する。ただし、第２光源２Ｂは、コンデンサＣ２２から放電される電流によって点灯する（図８の実線Ｘ３参照）。ここで、第２電流制御部１１Ｂが１５０［ｍＡ］の電流を流すように設定されている場合、第２光源２Ｂの等価抵抗値ＲＬ２は、ＲＬ２＝Ｖｆ２／１５０［ｍＡ］＝５０［Ｖ］／１５０［ｍＡ］＝３３３［Ω］となる。例えば、コンデンサＣ２２の容量値を１００［μＦ］とすると、コンデンサＣ２２から第２光源２Ｂに放電される際の時定数τは、τ＝３３３［Ω］×１００［μＦ］＝３３．３［ｍｓ］となる。一方、第４モードＭ４の継続時間は２［ｍｓ］程度である。したがって、第２光源２Ｂは、第４モードＭ４においても継続して点灯することができる。
【００５０】
入力電圧Ｖinがピークを過ぎて第１基準電圧Ｖｆ１と第１蓄電素子Ｃ１１の両端電圧ＶＣ１１の和未満になると、点灯装置１は、第３モードＭ３で動作する。つまり、第１充電電流制御部１２Ａによる第１蓄電素子Ｃ１１の充電が停止し（図８の実線Ｘ４参照）、第２充電電流制御部１２Ｂによる第２蓄電素子Ｃ２１の充電が開始される（図８の実線Ｘ５参照）。
【００５１】
入力電圧Ｖinが第１基準電圧Ｖｆ１と第２基準電圧Ｖｆ２と第２蓄電素子Ｃ２１の両端電圧ＶＣ２１の和未満になると、点灯装置１は、第２モードＭ２で動作する。つまり、第２充電電流制御部１２Ｂによる第２蓄電素子Ｃ２１の充電が停止し（図８の実線Ｘ５参照）、第２電流制御部１１Ｂが動作する（図８の実線Ｘ６参照）。
【００５２】
入力電圧Ｖinが第１基準電圧Ｖｆ１と第２基準電圧Ｖｆ２の和未満になると、点灯装置１は、第１モードＭ１で動作する。つまり、第２電流制御部１１Ｂが継続して動作し（図８の実線Ｘ６参照）、第１電流制御部１１Ａが動作を開始する（図８の実線Ｘ７参照）。
【００５３】
入力電圧Ｖinが第１蓄電素子Ｃ１１の両端電圧ＶＣ１１を下回ると入力電流Ｉinが停止する（図８の実線Ｘ８参照）。さらに、入力電圧Ｖinが第１基準電圧Ｖｆ１未満になると、点灯装置１は、第５モードＭ５で動作する。さらに、第２蓄電素子Ｃ２１の両端電圧ＶＣ２１が低下して第１基準電圧Ｖｆ１に達すると（図８における時刻ｔ＝ｔ１）、第２放電電流が減少し始める（図８の実線Ｘ６参照）。ただし、コンデンサＣ２２から第２光源２Ｂへ放電されるため、第２電流Ｉｆ２はほぼ一定に保たれる（図８の実線Ｘ３参照）。そして、入力電圧Ｖinがゼロクロス（時刻ｔ＝ｔ２）を過ぎて上昇すると、点灯装置１は、上述した順序で第１モードＭ１から第５モードＭ５を繰り返すように動作する。
【００５４】
ところで、点灯装置１が第１モードＭ１から第５モードＭ５に移行する際、第１回路ブロック１０Ａの第２整流素子Ｄ１２に急峻な電流が流れることがある。この急峻な電流によって入力電流Ｉinが急激に変化し、入力電流Ｉinの急激な変化に起因したノイズが交流電源３側へ漏れる可能性がある。そのため、本実施形態に係る点灯装置１において、第２整流素子Ｄ１２と整流器６の高電位側の直流出力端子との間にインピーダンス素子が挿入され、インピーダンス素子によって急激な入力電流Ｉinの変化を抑制することが好ましい。同様に、第２回路ブロック１０Ｂの第２整流素子Ｄ２２と整流器６の高電位側の直流出力端子との間にもインピーダンス素子が挿入されることが好ましい。なお、インピーダンス素子は、抵抗又はインダクタのいずれかが好ましいが、より損失の少ないインダクタが望ましい。
【００５５】
なお、本実施形態に係る点灯装置１は、２つの回路ブロック１０Ａ、１０Ｂを入れ子に接続した回路構成を有しているが、３つ以上の回路ブロックを入れ子に接続した回路構成を有していても構わない。例えば、３番目の回路ブロックは、第１回路ブロック１０Ａ及び第２回路ブロック１０Ｂと共通の回路構成を備え、第３整流素子を介して、第２回路ブロック１０Ｂの第２電流制御部１１Ｂと電気的に並列接続されればよい。
【００５６】
上述のように本実施形態に係る点灯装置１は、ｎ個（ｎは２以上の正の整数）の回路ブロック（第１回路ブロック１０Ａ及び第２回路ブロック１０Ｂ）を有する。点灯装置１は、ｎ個の回路ブロック（第１回路ブロック１０Ａ及び第２回路ブロック１０Ｂ）がｎ個の光源（第１光源２Ａ及び第２光源２Ｂ）とそれぞれ電気的に接続されてｎ個の光源（第１光源２Ａ及び第２光源２Ｂ）を点灯するように構成される。ｎ個の回路ブロック（第１回路ブロック１０Ａ、第２回路ブロック１０Ｂ）は、電流制御部（第１電流制御部１１Ａ、第２電流制御部１１Ｂ）と、蓄電素子（第１蓄電素子Ｃ１１、第２蓄電素子Ｃ２１）とをそれぞれ１個ずつ備える。また、ｎ個の回路ブロック（第１回路ブロック１０Ａ、第２回路ブロック１０Ｂ）は、充電電流制御部（第１充電電流制御部１２Ａ、第２充電電流制御部１２Ｂ）と、第１整流素子Ｄ１１、Ｄ２１と、第２整流素子Ｄ１２、Ｄ２２とをそれぞれ１個ずつ備える。電流制御部（第１電流制御部１１Ａ、第２電流制御部１１Ｂ）は、１個の光源（第１光源２Ａ、第２光源２Ｂ）と電気的に直列接続され、１個の光源（第１光源２Ａ、第２光源２Ｂ）に流れる電流Ｉｆ１、Ｉｆ２が所定値を超えないように電流Ｉｆ１、Ｉｆ２を制御する。蓄電素子（第１蓄電素子Ｃ１１、第２蓄電素子Ｃ２１）は、１個の光源（第１光源２Ａ、第２光源２Ｂ）に流れる電流によって充電される。充電電流制御部（第１充電電流制御部１２Ａ、第２充電電流制御部１２Ｂ）は、蓄電素子（第１蓄電素子Ｃ１１、第２蓄電素子Ｃ２１）を充電する電流を制御する。第１整流素子Ｄ１１、Ｄ２１は、１個の光源（第１光源２Ａ、第２光源２Ｂ）と蓄電素子（第１蓄電素子Ｃ１１、第２蓄電素子Ｃ２１）との間に挿入される。第２整流素子Ｄ１２、Ｄ２２は、蓄電素子（第１蓄電素子Ｃ１１、第２蓄電素子Ｃ２１）から放電される電流を１個の光源（第１光源２Ａ、第２光源２Ｂ）に流すように構成される。１番目の回路ブロック（第１回路ブロック１０Ａ）は、正弦波の交流電圧が整流されてなる脈流電圧（入力電圧Ｖin）が、１個の光源（第１光源２Ａ）と電流制御部（第１電流制御部１１Ａ）の直列回路に印加されるように構成される。ｉ番目の回路ブロック（第２回路ブロック１０Ｂ）は、ｉ−１番目の回路ブロック（第１回路ブロック１０Ａ）における電流制御部（第１電流制御部１１Ａ）と、第３整流素子Ｄ３を介して電気的に並列接続される。
【００５７】
本実施形態に係る点灯装置１は、複数の回路ブロック（第１回路ブロック１０Ａ、第２回路ブロック１０Ｂ）を入れ子に接続した回路構成を有している。そして、各回路ブロック１０Ａ、１０Ｂは、電流制御部（第１電流制御部１１Ａ、第２電流制御部１１Ｂ）と、蓄電素子（第１蓄電素子Ｃ１１、第２蓄電素子Ｃ２１）と、充電電流制御部（第１充電電流制御部１２Ａ、第２充電電流制御部１２Ｂ）とを１つずつ備える。各回路ブロック１０Ａ、１０Ｂにおいては、１つの光源（第１光源２Ａ、第２光源２Ｂ）を流れる電流で蓄電素子Ｃ１１、Ｃ２１を充電し、かつ、蓄電素子Ｃ１１、Ｃ２１の放電電流で各光源（第１光源２Ａ、第２光源２Ｂ）を点灯させる。したがって、各回路ブロック１０Ａ、１０Ｂは、実質的に２つの光源を点灯させるのと同等の効率（電源効率）で動作することができる。ゆえに、本実施形態に係る点灯装置１は、特許文献１記載の従来例と比較して光源を増やさずに効率の向上を図ることができる。
【００５８】
また、本実施形態に係る点灯装置１において、第１回路ブロック１０Ａ及び第２回路ブロック１０Ｂの２個の回路ブロックを有することが好ましい。第１回路ブロック１０Ａは、第１電流制御部１１Ａと、第１蓄電素子Ｃ１１と、第１充電電流制御部１２Ａと、第１整流素子Ｄ１１と、第２整流素子Ｄ１２とを備えることが好ましい。第１電流制御部１１Ａは、第１光源２Ａと電気的に直列接続され、第１光源２Ａに流れる第１電流Ｉｆ１が所定値を超えないように第１電流Ｉｆ１を制御することが好ましい。第１蓄電素子Ｃ１１は、第１光源２Ａに流れる電流によって充電されることが好ましい。第１充電電流制御部１２Ａは、第１蓄電素子Ｃ１１を充電する電流を制御することが好ましい。第１整流素子Ｄ１１は、第１光源２Ａと第１蓄電素子Ｃ１１との間に挿入されることが好ましい。第２整流素子Ｄ１２は、第１蓄電素子Ｃ１１から放電される電流を第１光源２Ａに流すように構成されることが好ましい。第２回路ブロック１０Ｂは、第２電流制御部１１Ｂと、第２蓄電素子Ｃ２１と、第２充電電流制御部１２Ｂと、第１整流素子Ｄ２１と、第２整流素子Ｄ２２とを備えることが好ましい。第２電流制御部１１Ｂは、第２光源２Ｂと電気的に直列接続され、第２光源２Ｂに流れる第２電流Ｉｆ２が所定値を超えないように第２電流Ｉｆ２を制御することが好ましい。第２蓄電素子Ｃ２１は、第２光源２Ｂに流れる電流Ｉｆ２によって充電されることが好ましい。第２充電電流制御部１２Ｂは、第２蓄電素子Ｃ２１を充電する電流を制御することが好ましい。第１整流素子Ｄ２１は、第２光源２Ｂと第２蓄電素子Ｃ２１との間に挿入されることが好ましい。第２整流素子Ｄ２２は、第２蓄電素子Ｃ２１から放電される電流を第２光源２Ｂに流すように構成されることが好ましい。第１回路ブロック１０Ａは、正弦波の交流電圧が整流されてなる脈流電圧（入力電圧Ｖin）が、第１光源２Ａと第１電流制御部１１Ａの直列回路に印加されるように構成されることが好ましい。第２回路ブロック１０Ｂは、第１回路ブロック１０Ａにおける第１電流制御部１１Ａと、１番目の第３整流素子Ｄ３を介して電気的に並列接続されることが好ましい。
【００５９】
本実施形態に係る点灯装置１が上述のように構成されれば、特許文献１記載の従来例と比較して光源を増やさずに効率の向上を図ることができる。
【００６０】
さらに、本実施形態に係る点灯装置１において、ｎ個の回路ブロック（第１回路ブロック１０Ａ、第２回路ブロック１０Ｂ）は、インピーダンス素子をそれぞれ備えることが好ましい。これらのインピーダンス素子は、蓄電素子（第１蓄電素子Ｃ１１、第２蓄電素子Ｃ２１）の放電電流が流れる経路上にそれぞれ挿入されることが好ましい。
【００６１】
本実施形態に係る点灯装置１が上述のように構成されれば、インピーダンス素子によって入力電流Ｉinの急激な変化を抑制することができ、入力電流Ｉinの高調波成分を低減できる。
【００６２】
ところで、本実施形態に係る点灯装置１は、図９に示すように、光源（第１光源２Ａ及び第２光源２Ｂ）と一体に構成されても構わない。例えば、円板状の実装基板１６の一面（実装面）の中央に第１光源２Ａ及び第２光源２Ｂが実装され、実装面における第１光源２Ａ及び第２光源２Ｂの周囲に、点灯装置１を構成する種々の回路部品が実装されることが好ましい。このように１枚の実装基板１６に光源と点灯装置１が実装されて照明装置が構成されれば、光源と点灯装置１が別体に構成される場合と比較して、照明装置の小型化が可能になる。
【００６３】
上述のように本実施形態に係る照明装置は、ｎ個の光源（第１光源２Ａ、第２光源２Ｂ）と、点灯装置１とを備える。ｎ個の光源（第１光源２Ａ、第２光源２Ｂ）は、１乃至複数個の固体発光素子でそれぞれ構成される。
【００６４】
本実施形態に係る照明装置は上述のように構成されるので、特許文献１記載の従来例と比較して光源を増やさずに効率の向上を図ることができる。
【００６５】
また、本実施形態に係る照明装置において、ｎ個の光源（第１光源２Ａ、第２光源２Ｂ）は、次の条件を満たすように構成されることが好ましい。ｉ−１番目の回路ブロック（第１回路ブロック１０Ａ）によって点灯されるｉ−１番目の光源（第１光源２Ａ）が点灯する電圧を点灯開始電圧（第１基準電圧Ｖｆ１）とする。また、ｉ番目の回路ブロック（第２回路ブロック１０Ｂ）によって点灯されるｉ番目の光源（第２光源２Ｂ）の点灯する電圧を点灯開始電圧（第２基準電圧Ｖｆ２）とする。その条件は、第１基準電圧Ｖｆ１が第２基準電圧Ｖｆ２の２分の１以下となるように構成されることが好ましい。
【００６６】
最後に、本実施形態に係る照明器具について、図１０Ａ〜図１０Ｃを参照して詳細に説明する。本実施形態に係る照明器具は、例えば、図１０Ａに示すように、天井に埋込配設されるダウンライトとして構成されることが好ましい。この照明器具は、光源（第１光源２Ａと第２光源２Ｂ）と点灯装置１からなる照明装置が収納される器具本体６０と、反射板６１とを備える。器具本体６０の上部には、複数枚の放熱フィン６００が突設されている。また、器具本体６０から導出される電源ケーブル６２が交流電源３と電気的に接続される。
【００６７】
また、本実施形態に係る照明器具は、図１０Ｂ及び図１０Ｃに示すように、配線ダクト７に取り付けられるスポットライトとして構成されることが好ましい。図１０Ｂに示す照明器具は、光源（第１光源２Ａと第２光源２Ｂ）と点灯装置１からなる照明装置が収納される器具本体６３と、反射板６４と、配線ダクト７に装着されるコネクタ部６５と、コネクタ部６５と器具本体６３を結合するアーム部６６とを備える。コネクタ部６５と点灯装置１が電源ケーブル６７を介して電気的に接続される。
【００６８】
一方、図１０Ｃに示す照明器具は、光源が収納される器具本体６８と、点灯装置１が収納されるボックス６９と、器具本体６８とボックス６９を連結する連結部７０と、光源と点灯装置１を電気的に接続する電源ケーブル７１とを備える。なお、ボックス６９の天面には、配線ダクト７と着脱可能に電気的且つ機械的に接続されるコネクタ部６９０が設けられる。
【００６９】
上述のように本実施形態に係る照明器具は、照明装置（第１光源２Ａ、第２光源２Ｂ及び点灯装置１）と、照明装置を保持する器具本体６０（器具本体６３又は器具本体６８）とを備える。
【００７０】
本実施形態に係る照明器具は上述のように構成されるので、特許文献１記載の従来例と比較して光源を増やさずに効率の向上を図ることができる。
【符号の説明】
【００７１】
１  点灯装置
２Ａ  第１光源（光源）
２Ｂ  第２光源（光源）
１０Ａ  第１回路ブロック（回路ブロック）
１０Ｂ  第２回路ブロック（回路ブロック）
１１Ａ  第１電流制御部（電流制御部）
１１Ｂ  第２電流制御部（電流制御部）
１２Ａ  第１充電電流制御部（充電電流制御部）
１２Ｂ  第２充電電流制御部（充電電流制御部）
６０  器具本体
６３  器具本体
６８  器具本体
Ｄ１１  第１整流素子
Ｄ１２  第２整流素子
Ｄ２１  第１整流素子
Ｄ２２  第２整流素子
Ｄ３    第３整流素子
Ｃ１１  第１蓄電素子（蓄電素子）
Ｃ２１  第２蓄電素子（蓄電素子）
【図１】
0006558680.tif 000002
【図２】
0006558680.tif 000003
【図３】
0006558680.tif 000004
【図４】
0006558680.tif 000005
【図５】
0006558680.tif 000006
【図６】
0006558680.tif 000007
【図７】
0006558680.tif 000008
【図８】
0006558680.tif 000009
【図９】
0006558680.tif 000010
【図１０】
0006558680.tif 000011